(57)【要約】  認証対象のユーザの心理的および／または肉体的な負担が少なく、簡単にセキュリティを担保できる個人認証装置等を提供する。個人認証装置３００は、ユーザの頭部の一部に第１の音響信号を送出する送出部３１、第１の音響信号がユーザの頭部の一部を伝播した後の音響信号である第２の音響信号を観測する観測部３２、第１の音響信号および第２の音響信号から音響特性を算出する算出部３３、音響特性からユーザに関する特徴量を抽出する抽出部３４、特徴量を第１の特徴量として記憶部に登録する記憶制御部３５、記憶部に登録される第１の特徴量と第１の特徴量の登録後に抽出される第２の特徴量とを照合してユーザを識別する識別部３６、第１の特徴量を記憶する記憶部３７を備え、識別部３６がユーザを同一と識別する場合所定間隔毎に送出部３１は第１の音響信号を送出する。
2018051948.tif 000002
【特許請求の範囲】
【請求項１】
ユーザの頭部の一部に第１の音響信号を送出する送出手段と、
前記第１の音響信号が前記ユーザの頭部の一部を伝播した後の音響信号である第２の音響信号を観測する観測手段と、
前記第１の音響信号および前記第２の音響信号から音響特性を算出する算出手段と、
前記音響特性からユーザに関する特徴量を抽出する抽出手段と、
前記特徴量を第１の特徴量として記憶手段に登録する記憶制御手段と、
前記記憶手段に登録された前記第１の特徴量と、前記抽出手段から前記第１の特徴量の登録後に抽出される第２の特徴量とを照合して、前記ユーザを識別する識別手段
とを備え、
前記識別手段が前記ユーザを同一と識別する場合、所定間隔毎に、前記送出手段は前記第１の音響信号を送出する
個人認証装置。
【請求項２】
前記識別手段が前記ユーザを同一と識別する場合、前記ユーザにサービスを提供するサービス制御手段を更に備える
請求項１に記載の個人認証装置。
【請求項３】
前記識別手段が前記ユーザを同一と識別できない場合、前記サービス制御手段は前記サービスの提供を中止し、前記記憶制御手段は、前記記憶手段に登録された前記第１の特徴量を削除する
請求項１または請求項２に記載の個人認証装置。
【請求項４】
前記識別手段が前記ユーザを同一と識別できない場合、前記同一と識別する場合とは異なる色にて発光する発光手段
をさらに備える請求項１乃至請求項３のいずれかに記載の個人認証装置。
【請求項５】
指定された時間の外か内かを検知するタイマ手段をさらに備え、
前記識別手段が前記ユーザを同一と識別し、かつ、前記タイマ手段が前記指定された時間の外と検知した場合、前記サービス制御手段は前記ユーザに対する前記サービスの提供を停止する
請求項１乃至請求項４のいずれかに記載の個人認証装置。
【請求項６】
前記タイマ手段が前記指定された時間の外と検知した場合、前記発光手段は前記指定された時間の内とは異なる色にて発光する
請求項１乃至請求項５のいずれかに記載の個人認証装置。
【請求項７】
ユーザの頭部の一部に第１の音響信号を送出し、
前記第１の音響信号が前記ユーザの頭部の一部を伝播した後の音響信号である第２の音響信号を観測し、
前記第１の音響信号および前記第２の音響信号から音響特性を算出し、
前記音響特性からユーザに関する特徴量を抽出し、
前記特徴量を第１の特徴量として記憶手段に登録し、
前記記憶手段に登録される前記第１の特徴量と、前記第１の特徴量の登録後に抽出される第２の特徴量とを照合して、ユーザを識別する
ことを備え、
前記ユーザが同一と識別される場合、所定間隔毎に、前記第１の音響信号は送出される
個人認証方法。
【請求項８】
前記ユーザが同一と識別される場合、前記ユーザにサービスを提供することを更に備える
請求項７に記載の個人認証方法。
【請求項９】
前記ユーザが同一と識別されない場合、前記サービスの提供を中止し、前記記憶手段に登録された前記第１の特徴量を削除する
請求項７または請求項８に記載の個人認証方法。
【請求項１０】
前記ユーザを同一と識別できない場合、前記同一と識別する場合とは異なる色にて発光手段が発光すること
をさらに備える請求項７乃至請求項９のいずれかに記載の個人認証方法。
【請求項１１】
指定された時間の外か内かを検知することをさらに備え、
前記ユーザを同一と識別し、かつ、前記指定された時間の外と検知した場合、前記ユーザに対する前記サービスの提供を停止する
請求項７乃至請求項１０のいずれかに記載の個人認証方法。
【請求項１２】
前記指定された時間の外と検知した場合、前記発光手段は前記指定された時間の内とは異なる色にて発光する
請求項７乃至請求項１１のいずれかに記載の個人認証方法。
【請求項１３】
ユーザの頭部の一部に第１の音響信号を送出し、
前記第１の音響信号が前記ユーザの頭部の一部を伝播した後の音響信号である第２の音響信号を観測し、
前記第１の音響信号および前記第２の音響信号から音響特性を算出し、
前記音響特性からユーザに関する特徴量を抽出し、
前記特徴量を第１の特徴量として記憶手段に登録し、
前記記憶手段に登録される前記第１の特徴量と、前記第１の特徴量の登録後に抽出される第２の特徴量とを照合して、ユーザを識別する
ことを備え、
前記ユーザが同一と識別される場合、所定間隔毎に、前記第１の音響信号は送出される
ことをコンピュータに実行させるための個人認証プログラムを格納する記録媒体。
【請求項１４】
前記ユーザが同一と識別される場合、前記ユーザにサービスを提供することを更に備える
請求項１３に記載の記録媒体。
【請求項１５】
前記ユーザが同一と識別されない場合、前記サービスの提供を中止し、前記記憶手段に登録された前記第１の特徴量を削除する
請求項１３または請求項１４に記載の記録媒体。
【請求項１６】
前記ユーザを同一と識別できない場合、前記同一と識別する場合とは異なる色にて発光手段が発光すること
をさらに備える請求項１３乃至請求項１５のいずれかに記載の記録媒体。
【請求項１７】
指定された時間の外か内かを検知することをさらに備え、
前記ユーザを同一と識別し、かつ、前記指定された時間の外と検知した場合、前記ユーザに対する前記サービスの提供を停止する
請求項１３乃至請求項１６のいずれかに記載の記録媒体。
【請求項１８】
前記指定された時間の外と検知した場合、前記発光手段は前記指定された時間の内とは異なる色にて発光する
請求項１３乃至請求項１７のいずれかに記載の記録媒体。
【発明の詳細な説明】
【技術分野】
【０００１】
本発明は、個人を認証するための個人認証装置等に関する。
【背景技術】
【０００２】
生体の個人差に基づいた個人認証（Biometrics-based authentication）は、パスワード等に比べ漏えいや盗難の危険性が低い為、個人を特定し権利を確認する目的や、セキュリティ保護の目的で導入される例が増えている。生体の個人差に基づいた個人認証技術としては、指紋（Fingerprint）、静脈（Vein）、顔（Face）、虹彩（Iris）、音声（Voice）などを用いるものが知られている。この中でも音の情報を使った方式は、特殊なデバイスを用意することなく、電話機やマイクロホンといった汎用的に使用されている安価なデバイスで個人認証を行う事が可能である。【０００３】
特許文献１は、指紋、顔、マウス動作等の組合せを基とするバイオメトリクス認証方式を用いて、ログイン中に、常にユーザを監視する手法について開示する。【０００４】
特許文献２は、聴覚器官に対し受発信する音の情報を信号処理して音響特性として記憶装置に格納し、当該記憶装置に格納された音響特性と新たに入力された音響特性とを照合することにより、被認証者が認証対象者か否かを判断する手法について開示する。
【先行技術文献】
【特許文献】
【０００５】
【特許文献１】特開２００４−１３８３１号公報
【特許文献２】特開２００２−１４３１３０号公報
【発明の概要】
【発明が解決しようとする課題】
【０００６】
しかしながら、特許文献１に開示されるような、所定の場所または時刻等において行う生体認証には以下のような問題がある。【０００７】
先ず、所定の場所または時刻等において、生体情報を取得して行う個人認証の場合、ユーザに認証を行うための動作を強いるという問題がある。例えば、指紋や静脈を用いた個人認証の場合、専用のスキャナに指を載せるといったユーザの動作が必要である。また、顔や虹彩を用いた個人認証の場合、カメラに顔を向ける等のユーザの動作が必要である。また、音声や骨伝導音を用いた個人認証の場合、パスワードを発声する等のユーザの動作が必要である。このため、ユーザは、認証の都度、心理的および肉体的負担を負う。更に、所定の場所または時刻等において、生体情報を取得して行う個人認証の場合、ユーザ（照合対象者）を常時認証し続けることは困難である。よって、一旦認証した後に、ユーザが、故意に、別の人物にすり替わった場合は、検知ができず、セキュリティ性能が低い。【０００８】
特許文献２に開示されるような聴覚器官を用いた個人認証手法であると、個人情報を識別するための音響特性を堅牢性の高い記憶装置に予め格納しておく必要がある。【０００９】
そこで、本発明は、上述した課題に鑑み、認証対象となるユーザの心理的および肉体的負担が少なく、簡単にセキュリティを担保できる個人認証装置等を提供することを目的とする。
【課題を解決するための手段】
【００１０】
上記の課題を解決するために、本発明の第１の観点に係る個人認証装置は、
ユーザの頭部の一部に第１の音響信号を送出する送出手段と、
第１の音響信号がユーザの頭部の一部を伝播した後の音響信号である第２の音響信号を観測する観測手段と、
第１の音響信号および第２の音響信号から音響特性を算出する算出手段と、
音響特性からユーザに関する特徴量を抽出する抽出手段と、
特徴量を第１の特徴量として記憶手段に登録する記憶制御手段と、
記憶手段に登録される第１の特徴量と、第１の特徴量の登録後に抽出される第２の特徴量とを照合して、ユーザを識別する識別手段
とを備え、
識別手段がユーザを同一と識別する場合、所定間隔毎に、送出手段は第１の音響信号を送出する。【００１１】
本発明の第２の観点に係る個人認証方法は、
ユーザの頭部の一部に第１の音響信号を送出し、
第１の音響信号がユーザの頭部の一部を伝播した後の音響信号である第２の音響信号を観測し、
第１の音響信号および第２の音響信号から音響特性を算出し、
音響特性からユーザに関する特徴量を抽出し、
特徴量を第１の特徴量として記憶手段に登録し、
記憶手段に登録される第１の特徴量と、第１の特徴量の登録後に抽出される第２の特徴量とを照合して、ユーザを識別する
ことを備え、
ユーザが同一と識別される場合、所定間隔毎に、第１の音響信号は送出される。【００１２】
本発明の第３の観点に係る個人認証プログラムは、
ユーザの頭部の一部に第１の音響信号を送出し、
第１の音響信号がユーザの頭部の一部を伝播した後の音響信号である第２の音響信号を観測し、
第１の音響信号および第２の音響信号から音響特性を算出し、
音響特性からユーザに関する特徴量を抽出し、
特徴量を第１の特徴量として記憶手段に登録し、
記憶手段に登録される第１の特徴量と、第１の特徴量の登録後に抽出される第２の特徴量とを照合して、ユーザを識別する
ことを備え、
ユーザが同一と識別される場合、所定間隔毎に、第１の音響信号は送出される
ことをコンピュータに実行させる。【００１３】
尚、個人認証プログラムは非一時的な記憶媒体に格納されていてもよい。
【発明の効果】
【００１４】
本発明によれば、認証対象となるユーザの心理的および肉体的負担が少なく、簡単にセキュリティを担保できる個人認証装置等を提供することができる。
【図面の簡単な説明】
【００１５】
【図１】本発明の第１の実施形態にかかる個人認証装置の構成例を示すブロック図である。
【図２】本発明の第１の実施形態の個人認証装置の具体的なハードウェア構成例を示す構成図である。
【図３】本発明の第１の実施形態の個人認証装置の動作の一例を示すフローチャートである。
【図４Ａ】送出音響信号の例を示すグラフである。
【図４Ｂ】観測音響信号の例を示すグラフである。
【図５】音響特性としてのインパルス応答の例を示すグラフである。
【図６】本発明の第２の実施形態にかかる個人認証装置の構成例を示すブロック図である。
【図７】本発明の第２の実施形態にかかるイヤホンおよびその周辺機器の構成例を示す図である。
【図８】本発明の第２の実施形態の個人認証装置の動作の一例を示すフローチャートである。
【図９】本発明の第３の実施形態にかかる個人認証装置の構成例を示すブロック図である。
【図１０】本発明にかかる各実施形態を実施するための情報処理装置の構成例である。
【発明を実施するための形態】
【００１６】
＜第１の実施形態＞
（個人認証装置）
本発明の第１の実施形態に係る個人認証装置１００について図面を参照して説明する。図１は、第１の実施形態にかかる個人認証装置１００の構成例を示すブロック図である。図１に示す個人認証装置１００は、送出部１１、観測部１２、算出部１３、抽出部１４、記憶制御部１５、識別部１６、記憶部１７およびサービス制御部１８を備える。
【００１７】
送出部１１は、ユーザの頭部の一部に音響信号を送出する。ここで、音響信号が送出される頭部の一部は、より具体的には、頭部において空洞が形成されている領域であって、装飾品や音響効果を発現させる機器を装着できるまたは近づけることのできる領域の少なくとも一部であってもよい。
【００１８】
観測部１２は、送出部１１から送出された音響信号がユーザの頭部の一部を伝搬した後の音響信号を観測する。また、音響信号の伝搬路とされる頭部の一部は、より具体的には、頭部を構成する頭蓋骨、脳、感覚器およびその間の空洞の少なくとも一部であってもよい。
【００１９】
算出部１３は、送出部１１から送出された音響信号と、観測部１２で観測された音響信号とに基づいて、ユーザの頭部の一部を伝搬する音響信号の音響特性を算出する。
【００２０】
抽出部１４は、算出された音響特性から、認証対象のユーザ（認証対象ユーザ）に関する特徴量を抽出する。特徴量の抽出は、所定の算術演算によって行われてもよい。
【００２１】
記憶制御部１５は、サービス開始毎に行われる認証対象ユーザの登録（以下、これを初回登録と記載することがある）の際に、抽出部１４により得られた特徴量を記憶部１７に格納する。更に、各サービスの停止時に、記憶制御部１５は、認証対象ユーザの特徴量を記憶部１７から削除する。即ち、パスワードとなる特徴量は、サービス毎に、たとえ同一ユーザであっても、記憶および削除される。このように短期間でパスワードを変更する、いわゆるワンタイムパスワード方式が採用される。従って、予め特徴量を記憶部１７に格納する必要が無い。更に、サービスの提供毎に特徴量が記憶部１７に記憶されるので、高いセキュリティを担保できる。
【００２２】
記憶部１７は、認証対象ユーザの初回登録時に、当該ユーザに対応する特徴量を記憶する。以下、記憶部１７に特徴量が記憶されているユーザを、登録済みユーザと称呼する場合がある。
【００２３】
識別部１６は、抽出部１４により得られた特徴量と、初回登録時に記憶部１７に格納された特徴量とを照合し、これらの特徴量が一致するか（同一ユーザであるか）否かを判定する。
【００２４】
サービス制御部１８は、サービス提供の制御を行う。例えば、サービス制御部１８は、識別部１６による判定結果が同一ユーザであればサービスを提供するよう制御し、当該判定結果が同一ユーザでなければサービスの提供を停止するよう制御する。尚、サービスを提供するとは、例えば、サービスを提供するためのアプリケーションソフトウェアを起動する、もしくは起動状態を維持することを指し、サービスの提供を停止するとは、当該アプリケーションソフトウェアを終了することを指す。
【００２５】
サービス制御部１８は、更に、初回登録時に記憶部１７に特徴量を記憶する前後において、当該ユーザがサービスの提供を受けられる正当なユーザであることの許可を、サービスの管理者等から受け付けることが好ましい。ユーザを受付ける許可の一例としては、サービスの管理者が、初回登録を許可する指示を後述する情報処理装置１において入力した後、後述するイヤホン４等をユーザに手渡し、当該ユーザに初回登録を促すようにすることである。尚、サービス管理者の行為をソフトウェアプログラムとしてサービス制御部１８に実装させてもよい。例えば、安全性は高いが常時の（連続的な）認証を実現するにはユーザに負担の大きい、別種の個人認証（指紋認証等）のソフトウェアプログラムを用いてもよい。この際、管理者は、情報処理装置１に備えられた又は接続されたタッチパネル等の入力装置を介して、ユーザに入力を促す。サービスの管理者による初回登録を許可するための入力は、後述するイヤホン４に物理スイッチを搭載させ、当該スイッチを媒介して行ってもよい。
【００２６】
ここで、本実施形態におけるサービスとは、ユーザの個人情報（氏名等）を特定する必要は無いが、他人への利用を禁止すべきサービス、または、ユーザの不存在を検知したいサービスである。例えば、デパート、博物館、通訳付会議等の特定の場所に居るイヤホン４を付けている特定の人に向けて提供すべき音声ガイダンスサービスがこれにあたる。この他、新幹線や飛行機の固定座席で提供する映画または音楽の鑑賞サービス、スマートフォンを介して個人向けに配信する映画または音楽の鑑賞サービスもこのサービスに含まれる。尚、ユーザ個人が特定可能となるように設計を変更することも可能である。
【００２７】
図２は、図１に示す本実施形態の個人認証装置１００を実現する具体的ハードウェア構成例を示す構成図である。個人認証装置１００は、例えば、情報処理装置１、サウンドプロセッサ２、マイクロホンアンプ３、イヤホン４およびマイクロホン５を備えている。情報処理装置１は、具体的に、スマートフォン、タブレット端末、パーソナルコンピュータである。なお、符号６は、認識対象とされるユーザを示す。
【００２８】
情報処理装置１から伝達される音は、サウンドプロセッサ２でＤ／Ａ（デジタル／アナログ）変換され、イヤホン４に届けられる。イヤホン４はマイクロホン５を備えている。イヤホン４はユーザの耳に装着または挿入され、マイクロホン５が発する音は耳内で反響し、イヤホン４はその反響音を集音する。集音された反響音は、マイクロホンアンプ３にて増幅された後、サウンドプロセッサ２にてＡ／Ｄ（アナログ／デジタル）変換され、情報処理装置１に伝達される。
【００２９】
図２に示すハードウェア構成例において、イヤホン４は送出部１１の一例である。また、マイクロホン５、サウンドプロセッサ２およびマイクロホンアンプ３は、観測部１２の一例である。図２に示すようにマイクロホン５とイヤホン４は、相対的な位置関係が変化しないよう一体型であることが望ましい。ただし、両者の相対的な位置関係が大きく変わらない場合にはその限りではない。また、ここではイヤホン４とマイクロホン５の例として、外耳道入口の中に挿入する、マイクロホン一体型のイヤホンを挙げているが、両者の実現例としては、耳介を覆うタイプのヘッドホンにマイクロホンを設定したものであってもよい。また、両者を実現する他の例としては、電話機の受話器部分にマイクロホンを設置したものであってもよい。その他、左の外耳道入口に設置したイヤホンで送出した音響信号を、右耳の外耳道入口に設置したマイクロホンで観測する、またはこの反対を行ってもよい。
【００３０】
尚、特徴量の抽出は、両耳から行っても良いし、右または左の片耳のみから行っても良い。本実施形態においては、個人認証を必要とする所定動作を行う間、ユーザはイヤホン４の常時装着を要求される。よって、長時間に亘る所定動作である場合、ユーザが耳に痛みや違和感を覚えることも想定される。この場合には、ユーザはイヤホン４を装着する耳をもう片方の耳に適宜変更しても良い。尚、認証する耳の変更時には、後述する初回登録の動作が再度必要となる。
【００３１】
また、算出部１３、抽出部１４、識別部１６およびサービス制御部１８はそれぞれ情報処理装置１中の、プログラムに従って動作するＣＰＵ（Central Processing Unit）及びメモリにより実現される。また、記憶部１７は、情報処理装置１中のハードディスク等の記憶媒体により実現される。尚、小型化された情報処理装置１をイヤホン４に搭載することで同様の機能を実現しても良い。
【００３２】
（個人認証装置の動作）
次に、本実施形態における個人認証装置１００の動作の一例について図３に示すフローチャートを参照して説明する。まず、サービス管理者が、ユーザと対面して初回の登録を許可するキーワードを情報処理装置１のスイッチ、キーボードから入力し、ユーザに初回登録を促す。ユーザの操作に基づいて、次のように初回登録が実行され、それに引き続き、個人認証装置１００は、以下のように本人認証動作を実行する。
【００３３】
すなわち、ステップＳ１１０において、ユーザがイヤホン４を耳に装着すると、送出部１１は、認証対象となるユーザの頭部の一部に向けて音響信号を送出する。例えば、ステップＳ１１０において、イヤホン４が外耳道入口から外耳道に向けて音響信号を送出する。音響信号としては、インパルス応答（Impulse Response）を計測する目的で広く用いられているＭ系列信号（maximal length sequence）や、ＴＳＰ（Time Stretched Pulse）信号等を使う方法が考えられる。
【００３４】
図４Ａは、送出部１１が送出する音響信号の例を示すグラフである。図４Ａのグラフにおいて、横軸は時刻ｔを示し、縦軸は時刻ｔにおける送出された音響信号の信号値ｘ（ｔ）を示す。以下、送出部１１が送出した音響信号を、送出音響信号という場合がある。
【００３５】
ステップＳ１２０において、観測部１２は、ステップＳ１１０で送出部１１から送出された音響信号がユーザの頭部の一部を伝搬した後の音響信号を観測する。例えば、ステップＳ１２０において、イヤホン４から伝播された音響信号をマイクロホン５が検出する。検出された音響信号は、マイクロホンアンプ３にて増幅され、サウンドプロセッサ２にてＡ／Ｄ変換され、情報処理装置１に伝送される。
【００３６】
図４Ｂは、観測部１２で観測された音響信号の例を示すグラフである。図４Ｂのグラフにおいて、横軸は時刻ｔを示し、縦軸は時刻ｔにおける観測された音響信号の信号値ｙ（ｔ）を示す。以下、観測部１２で観測された音響信号を、観測音響信号という場合がある。
【００３７】
ステップＳ１３０において、算出部１３は、送出音響信号と観測音響信号との変化からユーザの頭部の一部の音響特性を算出する。音響特性としては、インパルス応答（Impulse Response）およびインパルス応答をフーリエ変換またはラプラス変換することによって得られる伝達関数（Transfer Function）等が考えられる。音響特性は、例えば、音響信号が生体内でどのように反射および／または減衰するかの情報を含む。例えば、外耳道口にイヤホン４及びマイクロホン５が設置され、外耳道中を反射する音響特性が算出部１３によって算出される場合、音響特性として、外耳道インパルス応答（Ear Canal Impulse Response）や外耳道伝達関数（Ear Canal Transfer Function）が用いられてもよい。
【００３８】
図５は、算出部１３により算出された音響特性としてのインパルス応答の例を示すグラフである。図５に示すグラフにおいて、横軸が時刻ｔを示し、縦軸が時刻ｔにおける観測された音響信号のインパルス応答の値ｇ（ｔ）を示す。
【００３９】
なお、送出音響信号の信号値ｘ（ｔ）と、観測音響信号の信号値ｙ（ｔ）と、インパルス応答の値ｇ（ｔ）との間には以下の式（１）に示す関係性がある。
【００４０】
【数１】
2018051948.tif 000003
【００４１】
また、ｘ（ｔ），ｙ（ｔ），ｇ（ｔ）をそれぞれフーリエ変換することによって得られた値Ｘ（ｆ），Ｙ（ｆ），Ｇ（ｆ）間では、以下の式（２）に示す関係性がある。ここで、ｆは周波数帯域である。また、Ｇ（ｆ）は伝達関数である。
【００４２】
Ｙ（ｆ）＝Ｇ（ｆ）Ｘ（ｆ）  …（２）
ステップＳ１４０において、抽出部１４は、算出部１３により算出された音響特性から特徴量を抽出する。特徴量には、インパルス応答や伝達関数をそのまま使ってもよい。すなわち、抽出部１４は、音響特性としてのインパルス応答の各時刻の値や伝達関数の各周波数の値を特徴量とする。また、音響特性としてのインパルス応答や伝達関数に対し、主成分分析を行い次元圧縮することで得られる特徴量、あるいは、非特許文献１に記載されているｍｆｃｃ（mel-frequency cepstrum coefficients）を特徴量に用いることが考えられる。
【００４３】
ステップＳ１５０において、識別部１６は、今回の特徴量の抽出が当該ユーザにとって初めての抽出であるかを判断する。具体例として、識別部１６は抽出回数をカウントするためのカウンタメモリを備えたり、記憶部１７に特徴量のデータが存在するかを検索したりすることにより、当該判断を行う。初めての抽出、即ち、初回登録であると判断されると、処理はステップＳ１６０へ進められ、初回登録ではない（２回目以上）と判断されると、処理はステップＳ１８０へ進められる。
【００４４】
初回登録の場合、ステップＳ１６０において記憶制御部１５は、抽出部１４で抽出された特徴量を記憶部１７に格納する。ステップＳ１７０において、サービス制御部１８は、記憶部１７内に特徴量があることを検出すると、サービスを提供するためのアプリケーションプログラム等を起動させる。
【００４５】
初回登録でない場合、ステップＳ１８０において識別部１６は、抽出部１４により得られた特徴量と、記憶部１７に格納されている登録済みユーザの特徴量とを照合する。
【００４６】
ステップＳ１９０において、照合の結果が一致し、認証対象とされたユーザが登録済みユーザに該当すると判定されると、処理はステップＳ２００へ進められる。照合の結果が一致せず、認証対象とされたユーザが登録済みユーザに該当しないと判定されると、処理はステップＳ２１０へ進められる。この判定は１対１認証となる。
【００４７】
１対１認証では、認証対象となるユーザと、登録済みユーザとの特徴量を１対１で照合する。この場合、予めユーザＩＤ（IDentification）などでどの登録済みユーザとの照合を行うかを与えてもよい。照合方法としては、例えば、識別部１６は、特徴量同士の距離を計算し、距離が閾値よりも小さい場合に同一人であると判定し、距離が閾値よりも大きい場合に異なる人間であると判定してもよい。距離尺度としてはユークリッド距離(Euclid distance)、コサイン距離(cosine distance)等の距離尺度が考えられるが、他の距離を用いてもよい。
【００４８】
また、上記では、記憶部１７に、予め格納されている特徴量が保存されている例について説明したが、記憶部１７は、特徴量の代わりに統計モデルを保存してもよい。統計モデルとしては、１名に対し複数回特徴量を取得して得られる、その平均値と分散値またはそれらを用いて算出された関係式であってもよい。あるいは特許文献１に示されているような、ＧＭＭ（Gaussian Mixture Model）や、ＳＶＭ（Support Vector Machine）、ニューラルネットワークを使ったモデル等が考えられる。
【００４９】
ステップＳ２００において、識別部１６は、所定時間（例えば１秒）が経過するのを待ち、処理をステップＳ１１０へ戻す。
【００５０】
ステップＳ２１０において、サービス制御部１８は、登録済みユーザではないユーザに対してサービスの提供を行わないように、例えば、サービスを提供しているアプリケーションプログラム等を終了させる。この際、記憶制御部１５に、登録済みユーザではない、不正なユーザの特徴量を記憶部１７に格納させてもよい。
【００５１】
この他、サービス制御部１８は、登録済みユーザからの要求により、サービス用のアプリケーションプログラムを終了させてもよい。または、サービス制御部１８は、登録済みユーザがイヤホン４を耳から外したこと等により、抽出部１４によって特徴量（反響音）が全くまたは殆ど取得できなかったことを契機に、サービス用のアプリケーションプログラムを終了させてもよい。この場合、識別部１６は直ちに照合結果をサービス制御部１８に通知するのではなく、数回の照合の後に、何らかの理由で特徴量が取得できていないとして、サービス制御部１８にサービス停止を通知してもよい。
【００５２】
サービス終了時、サービス制御部１８は、記憶部１７内の登録済ユーザの特徴量のデータを消去するよう、記憶制御部１５に指示する。記憶制御部１５は、アプリケーションプログラム終了の度、登録済ユーザの特徴量のデータを消去する。
【００５３】
以上で第１の実施形態にかかる個人認証装置１００の動作を終了する。
【００５４】
本発明の第１の実施形態によると、認証対象となるユーザの心理的および肉体的負担が少なく、簡単にセキュリティを担保できる個人認証装置を提供することができる。本実施形態では、ユーザの頭部の一部を伝搬する音響信号の音響特性が個人毎に異なるという特徴を用いて、個人認証を行っている。ユーザの頭部の一部を伝搬する音響特性は、顔や指紋等の外部から観測可能な特徴とは異なり生体内部の特徴であるため、漏洩する危険性が低く、盗難が困難である。また、音響特性を知るためには、送出音響信号と、観測音響信号の２つが必要なため、盗聴などにより取得され偽造される危険が少ない。また、認証対象のユーザが行う動作は、マイクロホンが埋め込まれたヘッドホンやイヤホンを装着する、もしくは、受話部分にマイクロホンが埋め込まれた携帯電話等を耳にかざすだけであり、ユーザの心理的、肉体的な負担が少ない。また、本実施形態の個人認証方法を音楽配信や、トランシーバ、通話といった音声を伝達する情報配信用デバイスと組み合わせて用いることで、ユーザに対し、追加の肉体的・精神的負担無しに個人認証を提供できる。
【００５５】
また、音響特性の取得は１秒程度の短い時間で行うことが可能であり、サービス提供の間、ユーザを常時認証することができる。このため、認証を最初の一度または何らかのサービスを受ける直前のみ行う場合と比べて、認証後に他人に成り替わる（なりすまし）等の不正があった場合にそれを検知できる。
【００５６】
更に、サービス開始毎に記憶部１７内にユーザの特徴量データを登録し、当該サービス終了毎に、記憶部１７内の登録された特徴量データを消去する。これにより、ＩＤまたはパスワードとして使用される特徴量データが短時間（一回のサービス使用時間のみ）しか照合対象とならないため、簡単に高いセキュリティを担保できる。更に、片耳認証をしていたユーザが、長時間のサービス利用等により認証に使用していた耳に違和感をもち、もう片方の耳に認証対象を切り替えたい場合でも、容易に認証対象とする耳を切り替えることができる。尚、この場合、セキュリティ担保のため、認証の切り替え処理（サービス管理者による初回登録の許可）を行うことが好ましい。
【００５７】
＜第２の実施形態＞
本発明の第１の実施形態においては、個人認証装置１００はユーザの要求に応じ常時使用を可能としていたが、提供するサービスの内容によっては、同じユーザであっても使用可能な時間（例えば２時間まで）や時間帯（例えば１２時から１７時までの間）が特定されている場合がある。本発明の第２の実施形態においては、使用可能な時間が特定されている場合においてユーザを常時認証する個人認証装置２００について説明する。
【００５８】
本発明の第２の実施形態に係る個人認証装置２００について図面を参照して説明する。図６は、第２の実施形態にかかる個人認証装置２００の構成例を示すブロック図である。個人認証装置２００は、送出部１１、観測部１２、算出部１３、抽出部１４、記憶制御部１５、識別部１６、記憶部１７、タイマ制御部２１、ランプ制御部２２およびサービス制御部２８を備える。
【００５９】
タイマ制御部２１は、サービス管理者が予め設定したタイマを制御する。具体的に、タイマ制御部２１は、サービス管理者が予め設定した時間または時間帯を過ぎると、ランプ色を変更するようランプ制御部２２に通知する。この際、タイマ制御部２１は、サービスを停止するようサービス制御部２８に通知してもよい。
【００６０】
ランプ制御部２２は、タイマ制御部２１からの通知に従い、ランプの色、点滅等を制御する。図７に示すように、ランプ７は外部から見えやすい位置、例えばイヤホン４の表面に搭載される。ランプ制御部２２は、ランプ７の色を、サービスの提供状態やユーザ認証状態によって変化させる。例えば、初回登録前が黄色、初回登録後および正常運用時が緑色、登録済みユーザの時間外使用（タイムオーバ）の場合は赤色、登録済みユーザによる使用ではないと判定された際は赤色点滅する等である。
【００６１】
第２の実施形態に係る個人認証装置２００の動作について図８のフローチャートを参照して説明する。
【００６２】
ステップＳ１１０〜Ｓ１８０においては、第１の実施形態の動作（図３参照）と同様である。
【００６３】
ステップＳ１９０において、照合の結果、認証対象とされたユーザが登録済みユーザに該当すると判定されると、処理はステップＳ１９１へ進められる。認証対象とされたユーザが登録済みユーザに該当しないと判定されると、処理はステップＳ１９３へ進められる。ステップＳ１９３においては、ランプ制御部２２が、現在表示中のランプ７の色を変更（例えば赤色点滅）する。
【００６４】
ステップＳ１９１において、タイマ制御部２１は、現在の時刻が、サービス管理者が予め設定した時間（サービス時間）を過ぎているかを判断する。サービス時間内である場合処理はステップＳ２００に進められ、サービス時間外である場合処理はステップＳ１９２に進められる。ステップＳ１９２において、ランプ制御部２２は、現在表示中のランプ７の色を変更（例えば赤色点滅）する。
ランプ色を変更するようランプ制御部２２に通知する。この際、タイマ制御部２１は、サービスを停止するようサービス制御部２８に通知してもよい。
【００６５】
ステップＳ２００およびＳ２１０は第１の実施形態の動作（図３参照）と同様である。
【００６６】
以上で第２の実施形態にかかる個人認証装置２００の動作を終了する。
【００６７】
本発明の第２の実施形態によると、認証対象となるユーザの心理的および肉体的負担が少なく、セキュリティ性能が高い個人認証装置を提供することができる。更に、第１の実施形態の効果に追加して、ユーザが所定時間以上使用している場合、または、指定された時間以外に使用している場合にランプの色を変更させる。これにより、サービスの管理者に、ユーザによる指定時間外のサービスの利用を視覚的に認知させることができる。または個人認証装置２００はユーザが所定時間以上使用している場合等には、サービスの提供を停止してもよい。これによりサービスの管理者は、個人認証装置２００をより正確に管理することができる。
【００６８】
この他、ランプを点灯する代わりに、音声ブザーを使用してもよい。更に、正当に認証されているユーザであっても指定された場所以外での使用を禁止したい場合、屋内であればビーコンシステムを、屋外であればＧＰＳ(Global Positioning System)システムを用いて、使用場所を管理（監視）することも可能である。尚、使用人物、使用時間および使用場所の管理は、いずれの組み合わせにより実現されてもよい。
【００６９】
＜第３の実施形態＞
本発明の第３の実施形態にかかる個人認証装置３００は、図９に示すように、送出部３１、観測部３２、算出部３３、抽出部３４、記憶制御部３５、識別部３６および記憶部３７を備える。
【００７０】
送出部３１は、ユーザの頭部の一部に第１の音響信号を送出する。観測部３２は、第１の音響信号がユーザの頭部の一部を伝播した後の音響信号である第２の音響信号を観測する。算出部３３は、第１の音響信号および第２の音響信号から音響特性を算出する。抽出部３４は、音響特性からユーザに関する特徴量を抽出する。記憶制御部３５は、特徴量を第１の特徴量として記憶部に登録する。識別部３６は、記憶部から取得する第１の特徴量と、抽出部から第１の特徴量の抽出よりも後に取得する第２の特徴量とを照合して、ユーザを識別する。記憶部３７は、第１の特徴量を記憶する。尚、識別部３６が前記ユーザを同一と識別する場合、所定間隔毎に、送出部３１は第１の音響信号を送出する。
【００７１】
本発明の第３の実施形態によると、認証対象のユーザの心理的および／または肉体的な負担が少なく、セキュリティ性能が高い個人認証を提供することができる。この理由は、識別部３６が、記憶部に初回登録される第１の特徴量とその後に取得される第２の特徴量とを照合してユーザを識別し、ユーザを同一と識別する場合、所定間隔毎に、送出部３１が第１の音響信号を送出するからである。これによりユーザはイヤホン等を装着するのみで、セキュリティ性能が高い常時の個人認証が可能となる。
（情報処理装置の構成）
上述した本発明の各実施形態において、図１、図６および図９に示す各個人認証装置の各構成要素は、機能単位のブロックを示している個人認証装置の各構成要素の一部又は全部は、例えば図１０に示すような情報処理装置１とプログラムとの任意の組み合わせを用いて実現される。情報処理装置１は、一例として、以下のような構成を含む。
【００７２】
・ＣＰＵ（Ｃｅｎｔｒａｌ  Ｐｒｏｃｅｓｓｉｎｇ  Ｕｎｉｔ）５０１
・ＲＯＭ（Ｒｅａｄ  Ｏｎｌｙ  Ｍｅｍｏｒｙ）５０２
・ＲＡＭ（Ｒａｎｄｏｍ  Ａｃｃｅｓｓ  Ｍｅｍｏｒｙ）５０３
・ＲＡＭ５０３にロードされるプログラム５０４
・プログラム５０４を格納する記憶装置５０５
・記録媒体５０６の読み書きを行うドライブ装置５０７
・通信ネットワーク５０９と接続する通信インターフェース５０８
・データの入出力を行う入出力インターフェース５１０
・各構成要素を接続するバス５１１
本願の各実施形態における個人認証装置の各構成要素は、これらの機能を実現するプログラム５０４をＣＰＵ５０１が取得して実行することで実現される。個人認証装置の各構成要素の機能を実現するプログラム５０４は、例えば、予め記憶装置５０５やＲＡＭ５０３に格納されており、必要に応じてＣＰＵ５０１が読み出す。なお、プログラム５０４は、通信ネットワーク５０９を介してＣＰＵ５０１に供給されてもよいし、予め記録媒体５０６に格納されており、ドライブ装置５０７が当該プログラムを読み出してＣＰＵ５０１に供給してもよい。
【００７３】
各装置の実現方法には、様々な変形例がある。例えば、個人認証装置は、構成要素毎にそれぞれ別個の情報処理装置とプログラムとの任意の組み合わせにより実現されてもよい。また、個人認証装置が備える複数の構成要素が、一つの情報処理装置１とプログラムとの任意の組み合わせにより実現されてもよい。
【００７４】
また、個人認証装置の各構成要素の一部又は全部は、その他の汎用または専用の回路、プロセッサ等やこれらの組み合わせによって実現される。これらは、単一のチップによって構成されてもよいし、バスを介して接続される複数のチップによって構成されてもよい。
【００７５】
個人認証装置の各構成要素の一部又は全部は、上述した回路等とプログラムとの組み合わせによって実現されてもよい。
【００７６】
個人認証装置の各構成要素の一部又は全部が複数の情報処理装置や回路等により実現される場合には、複数の情報処理装置や回路等は、集中配置されてもよいし、分散配置されてもよい。例えば、情報処理装置や回路等は、クライアントアンドサーバシステム、クラウドコンピューティングシステム等、各々が通信ネットワークを介して接続される形態として実現されてもよい。
【００７７】
上記の実施形態の一部または全部は、以下の付記のようにも記載されうるが、以下には限られない。
[付記１]
ユーザの頭部の一部に第１の音響信号を送出する送出手段と、
前記第１の音響信号が前記ユーザの頭部の一部を伝播した後の音響信号である第２の音響信号を観測する観測手段と、
前記第１の音響信号および前記第２の音響信号から音響特性を算出する算出手段と、
前記音響特性からユーザに関する特徴量を抽出する抽出手段と、
前記特徴量を第１の特徴量として記憶手段に登録する記憶制御手段と、
前記記憶手段に登録される前記第１の特徴量と、前記第１の特徴量の登録後に抽出される第２の特徴量とを照合して、ユーザを識別する識別手段
とを備え、
前記識別手段が前記ユーザを同一と識別する場合、所定間隔毎に、前記送出手段は前記第１の音響信号を送出する
個人認証装置。
[付記２]
前記識別手段が前記ユーザを同一と識別する場合、前記ユーザにサービスを提供するサービス制御手段を更に備える
付記１に記載の個人認証装置。
[付記３]
前記識別手段が前記ユーザを同一と識別できない場合、前記サービス制御手段は前記サービスの提供を中止し、前記記憶制御手段は、前記記憶手段に登録された前記第１の特徴量を削除する
付記１または付記２に記載の個人認証装置。
[付記４]
前記識別手段が前記ユーザを同一と識別できない場合、前記同一と識別する場合とは異なる色にて発光する発光手段
をさらに備える付記１乃至付記３のいずれかに記載の個人認証装置。
[付記５]
指定された時間の外か内かを検知するタイマ手段をさらに備え、
前記識別手段が前記ユーザを同一と識別し、かつ、前記タイマ手段が前記指定された時間の外と検知した場合、前記サービス制御手段は前記ユーザに対する前記サービスの提供を停止する
付記１乃至付記４のいずれかに記載の個人認証装置。
[付記６]
前記タイマ手段が前記指定された時間の外と検知した場合、前記発光手段は前記指定された時間の内とは異なる色にて発光する
付記１乃至付記５のいずれかに記載の個人認証装置。
[付記７]
ユーザの頭部の一部に第１の音響信号を送出し、
前記第１の音響信号が前記ユーザの頭部の一部を伝播した後の音響信号である第２の音響信号を観測し、
前記第１の音響信号および前記第２の音響信号から音響特性を算出し、
前記音響特性からユーザに関する特徴量を抽出し、
前記特徴量を第１の特徴量として記憶手段に登録し、
前記記憶手段に登録される前記第１の特徴量と、前記第１の特徴量の登録後に抽出される第２の特徴量とを照合して、ユーザを識別する
ことを備え、
前記ユーザが同一と識別される場合、所定間隔毎に、前記第１の音響信号は送出される
個人認証方法。
[付記８]
前記ユーザが同一と識別される場合、前記ユーザにサービスを提供することを更に備える
付記７に記載の個人認証方法。
[付記９]
前記ユーザが同一と識別されない場合、前記サービスの提供を中止し、前記記憶手段に登録された前記第１の特徴量を削除する
付記７または付記８に記載の個人認証方法。
[付記１０]
前記ユーザを同一と識別できない場合、前記同一と識別する場合とは異なる色にて発光手段が発光すること
をさらに備える付記７乃至付記９のいずれかに記載の個人認証方法。
[付記１１]
指定された時間の外か内かを検知することをさらに備え、
前記ユーザを同一と識別し、かつ、前記指定された時間の外と検知した場合、前記ユーザに対する前記サービスの提供を停止する
付記７乃至付記１０のいずれかに記載の個人認証方法。
[付記１２]
前記指定された時間の外と検知した場合、前記発光手段は前記指定された時間の内とは異なる色にて発光する
付記７乃至付記１１のいずれかに記載の個人認証方法。
[付記１３]
ユーザの頭部の一部に第１の音響信号を送出し、
前記第１の音響信号が前記ユーザの頭部の一部を伝播した後の音響信号である第２の音響信号を観測し、
前記第１の音響信号および前記第２の音響信号から音響特性を算出し、
前記音響特性からユーザに関する特徴量を抽出し、
前記特徴量を第１の特徴量として記憶手段に登録し、
前記記憶手段に登録される前記第１の特徴量と、前記第１の特徴量の登録後に抽出される第２の特徴量とを照合して、ユーザを識別する
ことを備え、
前記ユーザが同一と識別される場合、所定間隔毎に、前記第１の音響信号は送出される
ことをコンピュータに実行させるための個人認証プログラム。
[付記１４]
前記ユーザが同一と識別される場合、前記ユーザにサービスを提供することを更に備える
付記１３に記載の個人認証プログラム。
[付記１５]
前記ユーザが同一と識別されない場合、前記サービスの提供を中止し、前記記憶手段に登録された前記第１の特徴量を削除する
付記１３または付記１４に記載の個人認証プログラム。
[付記１６]
前記ユーザを同一と識別できない場合、前記同一と識別する場合とは異なる色にて発光手段が発光すること
をさらに備える付記１３乃至付記１５のいずれかに記載の個人認証プログラム。
[付記１７]
指定された時間の外か内かを検知することをさらに備え、
前記ユーザを同一と識別し、かつ、前記指定された時間の外と検知した場合、前記ユーザに対する前記サービスの提供を停止する
付記１３乃至付記１６のいずれかに記載の個人認証プログラム。
[付記１８]
前記指定された時間の外と検知した場合、前記発光手段は前記指定された時間の内とは異なる色にて発光する
付記１３乃至付記１７のいずれかに記載の個人認証プログラム。
【００７８】
以上、本実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
【００７９】
この出願は２０１６年９月１６日に出願された日本出願特願２０１６−１８１８９７を基礎とする優先権を主張し、その開示の全てをここに取り込む。
【符号の説明】
【００８０】
１      ：情報処理装置
２      ：サウンドプロセッサ
３      ：マイクロホンアンプ
４      ：イヤホン
５      ：マイクロホン
６      ：ユーザ
７      ：ランプ
１１    ：送出部
１２    ：観測部
１３    ：算出部
１４    ：抽出部
１５    ：記憶制御部
１６    ：識別部
１７    ：記憶部
１８    ：サービス制御部
２１    ：タイマ制御部
２２    ：ランプ制御部
２８    ：サービス制御部
３１    ：送出部
３２    ：観測部
３３    ：算出部
３４    ：抽出部
３５    ：記憶制御部
３６    ：識別部
３７    ：記憶部
１００  ：個人認証装置
２００  ：個人認証装置
３００  ：個人認証装置
５００  ：情報処理装置
５０１  ：ＣＰＵ
５０３  ：ＲＡＭ
５０４  ：プログラム
５０５  ：記憶装置
５０６  ：記録媒体
５０７  ：ドライブ装置
５０８  ：通信インターフェース
５０９  ：通信ネットワーク
５１０  ：入出力インターフェース
５１１  ：バス
【図１】
2018051948.tif 000004
【図２】
2018051948.tif 000005
【図３】
2018051948.tif 000006
【図４Ａ】
2018051948.tif 000007
【図４Ｂ】
2018051948.tif 000008
【図５】
2018051948.tif 000009
【図６】
2018051948.tif 000010
【図７】
2018051948.tif 000011
【図８】
2018051948.tif 000012
【図９】
2018051948.tif 000013
【図１０】
2018051948.tif 000014
【手続補正書】
【提出日】平成31年3月4日(2019.3.4)
【手続補正２】
【補正対象書類名】特許請求の範囲
【補正対象項目名】全文
【補正方法】変更
【補正の内容】
【特許請求の範囲】
【請求項１】
ユーザの頭部の一部に第１の音響信号を送出する送出手段と、
前記第１の音響信号が前記ユーザの頭部の一部を伝播した後の音響信号である第２の音響信号を観測する観測手段と、
前記第１の音響信号および前記第２の音響信号から音響特性を算出する算出手段と、
前記音響特性からユーザに関する特徴量を抽出する抽出手段と、
前記特徴量を第１の特徴量として記憶手段に登録する記憶制御手段と、
前記記憶手段に登録された前記第１の特徴量と、前記抽出手段から前記第１の特徴量の登録後に抽出される第２の特徴量とを照合して、前記ユーザを識別する識別手段
とを備え、
前記識別手段が前記ユーザを同一と識別する場合、所定間隔毎に、前記送出手段は前記第１の音響信号を送出する
個人認証装置。
【請求項２】
前記識別手段が前記ユーザを同一と識別する場合、前記ユーザにサービスを提供するサービス制御手段を更に備える
請求項１に記載の個人認証装置。
【請求項３】
前記識別手段が前記ユーザを同一と識別できない場合、前記サービス制御手段は前記サービスの提供を中止し、前記記憶制御手段は、前記記憶手段に登録された前記第１の特徴量を削除する
請求項１または請求項２に記載の個人認証装置。
【請求項４】
前記識別手段が前記ユーザを同一と識別できない場合、前記同一と識別する場合とは異なる色にて発光する発光手段
をさらに備える請求項１乃至請求項３のいずれかに記載の個人認証装置。
【請求項５】
指定された時間の外か内かを検知するタイマ手段をさらに備え、
前記識別手段が前記ユーザを同一と識別し、かつ、前記タイマ手段が前記指定された時間の外と検知した場合、前記サービス制御手段は前記ユーザに対する前記サービスの提供を停止する
請求項１乃至請求項４のいずれかに記載の個人認証装置。
【請求項６】
前記タイマ手段が前記指定された時間の外と検知した場合、前記発光手段は前記指定された時間の内とは異なる色にて発光する
請求項１乃至請求項５のいずれかに記載の個人認証装置。
【請求項７】
ユーザの頭部の一部に第１の音響信号を送出し、
前記第１の音響信号が前記ユーザの頭部の一部を伝播した後の音響信号である第２の音響信号を観測し、
前記第１の音響信号および前記第２の音響信号から音響特性を算出し、
前記音響特性からユーザに関する特徴量を抽出し、
前記特徴量を第１の特徴量として記憶手段に登録し、
前記記憶手段に登録される前記第１の特徴量と、前記第１の特徴量の登録後に抽出される第２の特徴量とを照合して、ユーザを識別する
ことを備え、
前記ユーザが同一と識別される場合、所定間隔毎に、前記第１の音響信号は送出される
個人認証方法。
【請求項８】
前記ユーザが同一と識別される場合、前記ユーザにサービスを提供する
ことを更に備える請求項７に記載の個人認証方法。
【請求項９】
ユーザの頭部の一部に第１の音響信号を送出し、
前記第１の音響信号が前記ユーザの頭部の一部を伝播した後の音響信号である第２の音響信号を観測し、
前記第１の音響信号および前記第２の音響信号から音響特性を算出し、
前記音響特性からユーザに関する特徴量を抽出し、
前記特徴量を第１の特徴量として記憶手段に登録し、
前記記憶手段に登録される前記第１の特徴量と、前記第１の特徴量の登録後に抽出される第２の特徴量とを照合して、ユーザを識別する
ことを備え、
前記ユーザが同一と識別される場合、所定間隔毎に、前記第１の音響信号は送出される
ことをコンピュータに実行させるための個人認証プログラム。
【請求項１０】
前記ユーザが同一と識別される場合、前記ユーザにサービスを提供する
ことを更に備える請求項９に記載の個人認証プログラム。
【国際調査報告】
2018051948.tif 000015
2018051948.tif 000016
2018051948.tif 000017
2018051948.tif 000018